(57)【要約】【課題】  基体上に塗着された樹脂塗膜の剥離に関し、剥離した樹脂が粉塵となって飛散するのを防止し、容易かつ確実に回収することができる樹脂塗膜剥離方法を提供する。【解決手段】  本発明の樹脂塗膜剥離方法は、基体ｂ上に塗着された樹脂塗膜ｔを加熱して軟化させた後、軟化した樹脂塗膜ｔを、ヘラ３を用いて基体ｂから剥離させるものである。【選択図】図６
2012081455.tif 000002
【特許請求の範囲】
【請求項１】
基体上に塗着された樹脂塗膜を加熱して軟化させた後、軟化した前記樹脂塗膜を、ヘラを用いて前記基体から剥離させることを特徴とする樹脂塗膜剥離方法。
【請求項２】
樹脂塗膜の加熱は、加熱用ランプを用いて行うものであり、ヘラによる前記樹脂塗膜の剥離前に、予め前記加熱用ランプにより前記樹脂塗膜を加熱して軟化させておくことを特徴とする請求項１記載の樹脂塗膜剥離方法。
【請求項３】
基体上に塗着された樹脂塗膜を加熱して軟化させる加熱手段と、軟化した前記樹脂塗膜を前記基体から剥離させるヘラと、を備えていることを特徴とする樹脂塗膜剥離装置。
【請求項４】
加熱手段は加熱用ランプであり、該加熱用ランプは、ヘラ先端部の前方方向を加熱するように配置されていることを特徴とする請求項３記載の樹脂塗膜剥離装置。
【発明の詳細な説明】
【技術分野】
【０００１】
本発明は、基体上に塗着された樹脂塗膜剥離方法及びその装置に係り、特に、樹脂塗膜を加熱して軟化させた後、軟化した樹脂塗膜を、ヘラを用いて基体から剥離させるものに関する。
【背景技術】
【０００２】
基体上に塗着された樹脂塗膜を剥離・除去する方法として、例えば、サンドブラストやショットブラストのようにメディア（砂や金属の粒子）を樹脂塗膜に衝突させ、この衝突エネルギーにより強制的に該樹脂塗膜を飛散させて除去するものがある。
【０００３】
しかしながら、このようなブラストによる除去方法にあっては、樹脂塗膜の除去に止まらず、基体をも破損させてしまう恐れがあり、加えて、生じた粉塵の回収や樹脂とメディアの分離に手間がかかるばかりか、樹脂塗膜や基体に有害な物質（例えば、アスベストなど）が含まれている場合にあっては、粉塵を吸引した作業者等に対して重大な健康上の被害をもたらす危険性を高めてしまう。
【０００４】
そこで、例えば、特許文献１の請求項２や図１等に示されているように、炭化させた塗装塗膜をワイヤブラシなどのスクレーパで構造物にダメージを与えることなく掻取り、この掻取られた塗装塗膜を吸引して回収するような塗装塗膜の除去装置が提案されている。
【先行技術文献】
【特許文献】
【０００５】
【特許文献１】特開２００１−３３４７９９号公報
【発明の概要】
【発明が解決しようとする課題】
【０００６】
しかしながら、上述した特許文献１記載の塗装塗膜の除去装置にあっては、塗装塗膜を炭化させて構造物と塗装塗膜との接着力を弱め、スクレーパで掻取って炭化物の粒子からなる粉塵を回収するものであり、密閉構造にしたり回収装置を備えさせる点で、装置が大掛かりになるばかりか、炭化物の粉塵が介在している以上、掻取った粉塵が外部に漏出する危険性を確実に排除できるとはいえない。
【０００７】
本発明は、上述した問題点を解決するためになされたものである。
【課題を解決するための手段】
【０００８】
請求項１に係る発明は、基体上に塗着された樹脂塗膜を加熱して軟化させた後、軟化した前記樹脂塗膜を、ヘラを用いて前記基体から剥離させる樹脂塗膜剥離方法である。
【０００９】
請求項２に係る発明は、請求項１記載の樹脂塗膜剥離方法において、樹脂塗膜の加熱は、加熱用ランプを用いて行うものであり、ヘラによる前記樹脂塗膜の剥離前に、予め前記加熱用ランプにより前記樹脂塗膜を加熱して軟化させておくものである。
【００１０】
請求項３に係る発明は、基体上に塗着された樹脂塗膜を加熱して軟化させる加熱手段と、軟化した前記樹脂塗膜を前記基体から剥離させるヘラと、を備えている樹脂塗膜剥離装置である。
【００１１】
請求項４に係る発明は、請求項３記載の樹脂塗膜剥離装置において、加熱手段は加熱用ランプであり、該加熱用ランプは、ヘラ先端部の前方方向を加熱するように配置されているものである。
【発明の効果】
【００１２】
請求項１に記載の樹脂塗膜剥離方法によれば、基体上に塗着された樹脂塗膜を加熱して軟化させた後、軟化した前記樹脂塗膜を、ヘラを用いて前記基体から剥離させるため、粉塵を飛散させることなく樹脂塗膜を塊状にして剥離させることができ、剥離した樹脂を容易かつ確実に回収することができる共に、ヘラで剥ぎ取る分、基体への損傷を可及的に抑制することができる。
【００１３】
請求項２に記載の発明によれば、請求項１記載の樹脂塗膜剥離方法の効果に加え、樹脂塗膜の加熱は、加熱用ランプを用いて行うものであり、ヘラによる前記樹脂塗膜の剥離前に、予め前記加熱用ランプにより前記樹脂塗膜を加熱して軟化させておくため、加熱用ランプからの熱輻射により、所望領域の樹脂塗膜を短時間で昇温して軟化させることができ、ヘラによる樹脂塗膜の剥離をより一層迅速に行うことができる。
【００１４】
請求項３に記載の樹脂塗膜剥離装置によれば、基体上に塗着された樹脂塗膜を加熱して軟化させる加熱手段と、軟化した前記樹脂塗膜を前記基体から剥離させるヘラと、を備えているため、粉塵を飛散させることなく樹脂塗膜を塊状にして剥離させることができ、剥離した樹脂を容易かつ確実に回収することができる共に、ヘラで剥ぎ取る分、基体への損傷を可及的に抑制することができる。
【００１５】
請求項４に記載の発明によれば、請求項３記載の樹脂塗膜剥離装置の効果に加え、加熱手段は加熱用ランプであり、該加熱用ランプは、ヘラ先端部の前方方向を加熱するように配置されているため、加熱用ランプからの熱輻射により、所望領域の樹脂塗膜を短時間で昇温して軟化させることができ、ヘラによる樹脂塗膜の剥離をより一層迅速に行うことができる。
【図面の簡単な説明】
【００１６】
【図１】本発明に係る樹脂塗膜剥離装置の要部（ハンドリムーバ）を示した概略図である。
【図２】図１の一部を拡大して示した概略的断面図である。
【図３】図２の加熱手段の可動状態を示した一部切断概略的断面図である。
【図４】図１のヘラ作動状態の一例を示した概略図である。
【図５】図１のハンドリムーバを含む樹脂塗膜剥離装置の全体を示した概略図である。
【図６】図１の作用を説明するための概略図である。
【図７】図１の使用状態の一例を示した概略的斜視図である。
【図８】図１の使用状態の他の例を示した概略的斜視図である。
【発明を実施するための形態】
【００１７】
本発明の一実施例を、図１〜図５を参照して説明する。図１は本発明に係る樹脂塗膜剥離装置Ａ（後記）の要部を示した概略図であり、同図において、１は、ハンドリムーバである。このハンドリムーバ１は、作業者が手で把持し、樹脂塗膜に直接作用して、基体上に塗着された樹脂塗膜を加熱して軟化させた後、軟化した樹脂塗膜を、ヘラを用いて基体から剥離させるもので、概略的に、加熱手段２とヘラ３とを備えている。
【００１８】
加熱手段２は、基体上に塗着された樹脂塗膜を加熱して軟化させるもので、例えば、熱風ブロアや加熱用ランプなどであるが、所望領域を短時間で加熱でき、かつ、剥離した樹脂塊の飛散を防止できる点で、加熱用ランプの方が好ましい。なお、加熱用ランプを用いる場合にあっては、ランプの波長が３００ｎｍ〜１４０００ｎｍであるのが樹脂塗膜（薄膜）を効率良く加熱できる点で好ましく、具体的には、ハロゲンランプ、メタルハライドランプ、キセノンランプ、赤外線ランプなどを使用することができる。
【００１９】
この加熱手段２は、接続部材４に接続され、接続部材４は、取付部材５１、５２、５３を介してグリップ６に取り付けられている。なお、７１は電源コードであり、加熱手段２に電力を供給するものである。
【００２０】
ここで、加熱手段２について、ハロゲンランプを例にとって詳述すると、図２に示したように、ハロゲンランプ２１はソケット２３に装着され、該ハロゲンランプ２１の周囲にはリフレクタ２２が設けられている。
【００２１】
そして、これらハロゲンランプ２１、リフレクタ２２およびソケット２３は、ランプケース２４内に一体的に内蔵され、このランプケース２４におけるハロゲンランプ２１の投光側と反対側には、接続部４ａを介して接続部材４が接続されている。なお、接続部４ａは、例えば、ユニバーサルジョイントや、同図に示したようなボールジョイントで構成されており、図３に示したように、接続部材４に対して加熱手段２の角度を自在に可変させることができ、投光方向を調整できるようになっている。
【００２２】
ヘラ３は、加熱手段２により軟化した樹脂塗膜を基体から剥離させるもので、耐熱性に優れている点で、例えば、ステンレス鋼などの金属材料や、ファインセラミックなどのセラミック材料、炭素繊維強化プラスチック（ＣＦＲＰ）などの複合材料等を用いることができる。
【００２３】
このヘラ３は、図１に示したように、支持棒３１を介してグリップ６に取り付けられ、加熱手段２と一体的に構成されている。
【００２４】
また、ヘラ３は、図４に示したように、進退自在に復動できるように構成してもよく、かかる構成にあっては、グリップ６内にモータ（不図示）を内蔵させ、このモータを駆動源としてヘラ３を駆動するようにしてもよい。なお、６１はヘラ３駆動用のトリガーであり、８１は電源コードで、ヘラ３駆動用のモータに電力を供給するものである。
【００２５】
ところで、前記した樹脂塗膜剥離装置Ａは、図５に示したように、上述のハンドリムーバ１と、ランプ駆動電源７と、ヘラ駆動電源８とにより構成されているもので、ハンドリムーバ１には、電源コード７１を介してランプ駆動電源７が、電源コード８１を介してヘラ駆動電源８が、それぞれ接続されている。
【００２６】
ランプ駆動電源７は、オンオフスイッチ７２とランプ強度可変ツマミ７３とを備えており、電源コード７１を介して加熱手段２に接続され、該加熱手段２への電力供給の入切を行うと共に、供給する電力を制御して加熱される樹脂塗膜の温度を調整するものである。
【００２７】
ヘラ駆動電源８は、オンオフスイッチ８２とヘラ速度可変ツマミ８３とを備えており、電源コード８１を介してグリップ６内のモータに接続され、該モータへの電力供給の入切を行うと共に、供給する電力を制御してヘラ３の進退速度を調整するものである。
【００２８】
次に、上述のように構成した実施例に係る樹脂塗膜剥離装置Ａの作用について、図６〜図８を参照して説明する。図６は、基体ｂ上に塗着された樹脂塗膜ｔを剥離させる状態を示したものであり、仮想線で示したようにグリップ６を手で把持してヘラ３により樹脂塗膜ｔを剥離させるもので、まず、図５に示したランプ駆動電源７のオンオフスイッチ７２をオンにし、ランプ強度可変ツマミ７３を操作して樹脂塗膜ｔの温度を調整する。
【００２９】
ここで、樹脂塗膜ｔの温度は、該樹脂塗膜ｔが軟化するものであればよく、例えば、エポキシ樹脂やウレタン樹脂の場合にあっては、７０〜１２０℃の範囲になるように加熱する。なお、樹脂塗膜ｔを加熱し過ぎて固化（炭化や灰化を含む）させるのは好ましくない。かかる場合、固形物の生成により基体ｂとの接着力が弱められ、基体ｂからの剥離は容易になるものの、脆化して粉塵となり易く、剥離した樹脂（粉塵）が飛散して回収が困難となるからである。
【００３０】
また、図６に示したように、加熱手段２による加熱領域ｒは、ヘラ３先端部の前方方向とし、ヘラ３による樹脂塗膜ｔの剥離前に、予め加熱手段２により該樹脂塗膜ｔを加熱して軟化させておくのが好ましく、ヘラ３の先端部を含むように調節するのがより好ましい。加熱領域ｒの調節は、接続部４ａを支点としてランプケース２４を動かして行う（図３参照）。
【００３１】
そして、ハンドリムーバ１を操作し、基体ｂの表面にヘラ３を押し当て、該基体ｂ上に塗着された樹脂塗膜ｔを加熱して軟化させた後、ヘラ３の先端部の前方方向に向かってハンドリムーバ１を移動させながら、軟化した樹脂塗膜ｔを徐々に基体ｂから剥離させていくもので、ヘラ３による樹脂塗膜ｔの剥離前に、該樹脂塗膜ｔが軟化しているため、粉塵を発生させることなく容易に塊状にして基体ｂから剥離させることができる（図６において、ｔ’は剥離した塊状の樹脂を示している）。
【００３２】
このとき、図５に示したヘラ駆動電源８のオンオフスイッチ８２をオンにし、図４および図６に図示したトリガー６１を引いて、同図の双矢印ｄで示したように、ヘラ３をハンドリムーバ１の移動方向に対して前後方向に復動（進退）させて樹脂塗膜ｔを剥離させると、より一層確実に樹脂塗膜ｔを剥離させることができる。
【００３３】
なお、本発明に係る樹脂塗膜ｔの剥離にあっては、基体ｂの形状が限定されるものではなく、例えば、図７に示したように、平板状の基体ｂに対して用いたり、図８に示したように、曲面状の基体ｂに対して用いることができる。
【００３４】
ところで、上述した実施例にあっては、ヘラ駆動電源８を設け、モータによりヘラ３を前後方向に復動（進退）させる例について示したが、軟化した樹脂塗膜ｔが容易に剥離できる場合にあっては、このヘラ駆動電源８を設けず、ヘラ３をグリップ６に対して固定するようにしてもよい。
【００３５】
また、上述した実施例にあっては、ヘラ３として、金属材料やセラミック材料等を厚肉に形成したものを用いた例を示したが（図１、図４、図６等参照）、基体ｂ表面への追従性を向上させるため、可撓性を有する金属製の薄板（例えば、ＪＩＳ  Ｇ４３０３規定のＳＵＳ３０３、ＳＵＳ３０４など）を用いるようにしてもよい。
【符号の説明】
【００３６】
Ａ      樹脂塗膜剥離装置
ｂ      基体
ｔ      樹脂塗膜
ｔ’    剥離した樹脂
１      ハンドリムーバ
２      加熱手段
３      ヘラ
【図１】
2012081455.tif 000003
【図２】
2012081455.tif 000004
【図３】
2012081455.tif 000005
【図４】
2012081455.tif 000006
【図５】
2012081455.tif 000007
【図６】
2012081455.tif 000008
【図７】
2012081455.tif 000009
【図８】
2012081455.tif 000010